(57)【要約】【課題】従来のような作業範囲の制約をなくし作業範囲を拡大することができる測定情報送受信装置および測定システムを提供すること。【解決手段】測定情報送受信装置は、測定データを出力する複数の測定器１と、この各測定器１の測定データを処理するコンピュータ２との間において、測定データを各測定器１からコンピュータ２へ無線通信する測定情報送受信装置であって、各測定器１に接続され、測定データを無線送信する複数の送信機３と、コンピュータ２に接続され、各送信機３から無線送信された測定データを無線受信する受信機４と、この受信機４に接続され、測定データが受信機４に無線受信されると閃光表示する閃光装置５とを備えている。【選択図】 図１
2007048024.tif 000002
【特許請求の範囲】
【請求項１】
測定データを出力する複数の測定器と、この各測定器の測定データを処理するデータ処理装置との間において、測定データを各測定器からデータ処理装置へ無線通信する測定情報送受信装置であって、
前記各測定器に接続され、前記測定データを無線送信する複数の送信機と、
前記データ処理装置に接続され、前記各送信機から無線送信された前記測定データを無線受信する受信機と、
前記測定データが前記受信機に無線受信されると閃光表示する閃光装置とを備えていることを特徴とする測定情報送受信装置。
【請求項２】
請求項１に記載の測定情報送受信装置において、
前記閃光装置は、前記受信機側に設置されていることを特徴とする測定情報送受信装置。
【請求項３】
請求項１または請求項２に記載の測定情報送受信装置において、
前記各送信機は、その各送信機に接続された前記測定器ごとの固有のＩＤ番号を前記測定データとともに無線送信し、
前記受信機は、前記測定データとともに前記ＩＤ番号を無線受信し、
前記閃光装置は、複数の閃光色を有し所定の閃光色を選択する閃光色選択手段を備え、
前記受信機が前記測定データとともに前記ＩＤ番号を無線受信した際、無線受信したＩＤ番号に応じて前記閃光色選択手段を制御する制御手段を備えていることを特徴とする測定情報送受信装置。
【請求項４】
請求項１または請求項２に記載の測定情報送受信装置において、
前記閃光装置は、複数の閃光色を有し所定の閃光色を選択する閃光色選択手段を備え、
前記測定データが適正であるかどうかを判断し、不正な場合には、その理由に応じて前記閃光色選択手段を制御する制御手段を備えていることを特徴とする測定情報送受信装置。
【請求項５】
請求項１または請求項２に記載の測定情報送受信装置において、
前記各送信機は、その各送信機に接続された前記測定器ごとの固有のＩＤ番号を前記測定データとともに無線送信し、
前記受信機は、前記測定データとともに前記ＩＤ番号を無線受信し、
前記受信機が前記測定データとともに前記ＩＤ番号を無線受信した際、無線受信したＩＤ番号に応じた閃光パターンを前記閃光装置に閃光表示させる制御手段とを備えていることを特徴とする測定情報送受信装置。
【請求項６】
請求項１または請求項２に記載の測定情報送受信装置において、
前記測定データが適正であるかどうかを判断し、不正な場合には、その理由に応じた閃光パターンを前記閃光装置に閃光表示させる制御手段を備えていることを特徴とする測定情報送受信装置。
【請求項７】
測定データを出力する複数の測定器と、この各測定器の測定データを処理するデータ処理装置と、前記各測定器に接続された複数の送信機と、前記データ処理装置に接続された受信機とを備えた測定システムであって、
前記各送信機は、前記測定データを無線送信し、
前記受信機は、前記各送信機から無線送信された前記測定データを無線受信し、
前記測定データが前記受信機に無線受信されると閃光表示する閃光装置を備えていることを特徴とする測定システム。
【発明の詳細な説明】
【技術分野】
【０００１】
本発明は、測定情報送受信装置および測定システムに関する。詳しくは、測定データを出力する複数の測定器と、この各測定器の測定データを処理するデータ処理装置との間において、測定データを測定器からデータ処理装置へ無線通信する測定情報送受信装置に関する。また、測定器と、データ処理装置と、測定器に接続された送信機と、データ処理装置に接続された受信機とを備えた測定システムに関する。
【背景技術】
【０００２】
従来、送信機、送信ボタン、ＲＡＭ等を有した測定器と、この測定器の送信機から無線送信された測定データを受信する受信機と、受信機で受信された送信データを収集して解析するコンピュータとを備えた測定データ集計システムが知られている（例えば、特許文献１参照）。この測定データ集計システムには、測定データの受信状況を作業者に告知するブザーやランプが、受信機に付随して設けられている。
【０００３】
【特許文献１】特公平８−２１１５４号公報
【発明の開示】
【発明が解決しようとする課題】
【０００４】
しかしながら、上記特許文献１に記載のような測定データ集計システムにおいて、告知手段がブザーやランプであるため、以下のような問題が生じていた。すなわち、作業環境の騒音により、作業者がブザーの音を聞き逃したり、ブザーの音やランプの光が十分に届かないような離れた場所では、作業者が測定データの受信状況を正しく確認できなかったりした。そのため、作業者はブザーの音やランプの光を確認できる範囲でしか作業できないという制約があった。また、ランプと作業者の間に障害物がある場合にはランプの光を作業者が確認しづらい等の問題もあった。特に広い工場での測定データの集計時にはこれらの問題が顕著であった。
【０００５】
本発明の目的は、従来のような作業範囲の制約をなくし、作業範囲を拡大することができる測定情報送受信装置および測定システムを提供することである。
【課題を解決するための手段】
【０００６】
本発明の測定情報送受信装置は、測定データを出力する複数の測定器と、この各測定器の測定データを処理するデータ処理装置との間において、測定データを各測定器からデータ処理装置へ無線通信する測定情報送受信装置であって、前記各測定器に接続され、前記測定データを無線送信する複数の送信機と、前記データ処理装置に接続され、前記各送信機から無線送信された前記測定データを無線受信する受信機と、前記測定データが前記受信機に無線受信されると閃光表示する閃光装置とを備えていることを特徴とする。
【０００７】
ここで、測定器としては、測定データをデジタル値として出力可能なものが好適である。また、データ処理装置としては、各測定器専用のデータ収集処理装置、測定データ処理用のプログラムが実行可能なパソコン、あるいは、測定データをプリント出力する出力装置等が利用可能である。また、受信機、閃光装置およびデータ処理装置は、それぞれ単数でもよく、複数でもよい。さらに、閃光装置は、瞬間的に強い光を発するものが好適であり、写真撮影の照明に用いられるフラッシュ‐バルブやストロボ等が利用可能である。
【０００８】
この発明によれば、測定データが受信機で無線受信されると、閃光装置が瞬間的に強い光である閃光を発するので、作業者は、従来よりも遠い位置からでも測定データが受信機で無線受信されたことを確認することができる。例えば、障害物等で作業者が直接、閃光装置を見ることができない場合でも、従来のランプよりも閃光のほうが天井等の周囲の物体で反射する光が強いので、作業者は、その反射した閃光を見ることができる。よって、作業範囲を従来よりも広くすることができる。
【０００９】
本発明の測定情報送受信装置では、前記閃光装置は、前記受信機側に設置されていることが好ましい。
例えば、測定器側に閃光装置を設ける場合には、閃光装置が作業者の作業の障害になる可能性がある。この点、本発明では、測定器側ではなく、データ処理装置に接続された受信機側に閃光装置を設けたので、閃光装置が作業者の作業の障害にならない。さらに、データ処理装置の周辺は、作業者の作業場所から離れているので、閃光装置の設置空間を容易に確保できる。
【００１０】
本発明の測定情報送受信装置では、前記各送信機は、その各送信機に接続された前記測定器ごとの固有のＩＤ番号を前記測定データとともに無線送信し、前記受信機は、前記測定データとともに前記ＩＤ番号を無線受信し、前記閃光装置は、複数の閃光色を有し所定の閃光色を選択する閃光色選択手段を備え、前記受信機が前記測定データとともに前記ＩＤ番号を無線受信した際、無線受信したＩＤ番号に応じて前記閃光色選択手段を制御する制御手段を備えていることが好ましい。
【００１１】
この発明によれば、制御手段は、測定データとともに無線受信したＩＤ番号に基づいて、受信した測定データがどの測定器からのものかを識別し、閃光色選択手段に識別した測定器に対応した閃光色を選択するよう指令を出す。すると、閃光装置は、所定の閃光色で閃光表示する。従って、作業者は、各測定器のＩＤ番号に対応した閃光の色によって、どの測定器の測定データが受信されたかを作業場所で識別することができる。
【００１２】
本発明の測定情報送受信装置では、前記閃光装置は、複数の閃光色を有し所定の閃光色を選択する閃光色選択手段を備え、前記測定データが適正であるかどうかを判断し、不正な場合には、その理由に応じて前記閃光色選択手段を制御する制御手段を備えていることが好ましい。
【００１３】
この発明によれば、制御手段は、測定データに基づいて、受信した測定データが適正であるかどうかを判断し、不正な場合には、その理由に対応した閃光色を選択するよう閃光色選択手段に指令を出す。すると、閃光装置は、所定の閃光色で閃光表示する。従って、作業者は、閃光装置の閃光の色によって、測定データが不正である場合のその理由を作業場所で識別することができる。
【００１４】
本発明の測定情報送受信装置では、前記各送信機は、その各送信機に接続された前記測定器ごとの固有のＩＤ番号を前記測定データとともに無線送信し、前記受信機は、前記測定データとともに前記ＩＤ番号を無線受信し、前記受信機が前記測定データとともに前記ＩＤ番号を無線受信した際、無線受信したＩＤ番号に応じた閃光パターンを前記閃光装置に閃光表示させる制御手段とを備えていることが好ましい。
【００１５】
ここで、閃光パターンの一例として、連続閃光を複数回繰り返す閃光パターンが挙げられる。この場合、連続閃光の連続回数を変更する等の方法で複数の閃光パターンを得ることができる。
この発明によれば、前述と同様に、作業者は、各測定器のＩＤ番号に対応した閃光パターンによって、どの測定器の測定データが受信されたかを作業場所で識別することができる。
【００１６】
本発明の測定情報送受信装置は、前記測定データが適正であるかどうかを判断し、不正な場合には、その理由に応じた閃光パターンを前記閃光装置に閃光表示させる制御手段を備えていることが好ましい。
この発明によれば、前述と同様に、作業者は、閃光装置の閃光パターンによって、測定データが不正である場合のその理由を作業場所で識別することができる。
【００１７】
本発明の測定システムは、測定データを出力する複数の測定器と、この各測定器の測定データを処理するデータ処理装置と、前記各測定器に接続された複数の送信機と、前記データ処理装置に接続された受信機とを備えた測定システムであって、前記各送信機は、前記測定データを無線送信し、前記受信機は、前記各送信機から無線送信された前記測定データを無線受信し、前記測定データが前記受信機に無線受信されると閃光表示する閃光装置を備えていることを特徴とする。
この発明によれば、前述と同様に、作業範囲を従来よりも広くすることができる。
【発明を実施するための最良の形態】
【００１８】
以下、本発明の実施の形態を図面に基づいて説明する。
（第１実施形態）
本発明の測定情報送受信装置および測定システム（以下、測定システムとする。）に係る第１実施形態について説明する。
図１は、この測定システムの全体構成を示す図である。図２は、この測定システムの閃光装置の斜視図である。
【００１９】
測定システムは、図１に示すように、例えばノギス等の複数の測定器１と、この各測定器１の測定データを処理するデータ処理装置であるコンピュータ２と、各測定器１にそれぞれ接続されて測定データを無線送信する複数の送信機３と、コンピュータ２に接続されて各送信機３から無線送信された測定データを無線受信する受信機４と、受信機４に接続されて測定データが受信機４に無線受信されると閃光表示する閃光装置５とを備えて構成されている。
【００２０】
各測定器１は、被測定物を測定した測定データをデジタル値として出力し、各送信機３に送信する。この各測定器１および各送信機３は、複数台から構成されているが、図１では一例として３台から構成されたものを示している。
コンピュータ２は、図示しないＣＰＵ（中央処理装置）や、メモリ（記憶装置）、外部記憶装置、モニタ（表示装置）２１、キーボード（入力装置）等を備え、メモリや外部記憶装置に所定のプログラムやデータが組み込まれたものである。そして、コンピュータ２は、各測定器１の測定データを収集して記録する等の処理を行う。
【００２１】
送信機３は、図示しない送信部としての送信アンテナと、送信機３の各部を制御する制御部と、制御プログラムを記録したＲＯＭと、測定データを一時記録するＲＡＭ等を内臓しており、また、測定器１に接続するための接続ケーブル３１を備えている。また、送信機３には、測定データを送信するための操作手段としての図示しない送信ボタンが押下げ可能に設けられている。そして、送信ボタンを押下げることで、制御部の制御によりＲＡＭに記録された測定データが送信アンテナから無線送信されるようになっている。
【００２２】
受信機４は、各送信機３との間で無線通信するための受信部である図示しない受信アンテナを備え、コンピュータ２と接続ケーブル４１で接続されている。さらに、受信機４には、閃光装置５を制御する制御手段である制御回路４２が内部に組み込まれている。制御回路４２は、受信機４が測定データを無線受信すると、閃光装置５に閃光表示するように指令を出すように設けられている。また、受信機４は、測定データを、接続ケーブル４１を介してコンピュータ２に送信する。
【００２３】
なお、受信機４は、コンピュータ２に接続されるものに限らず、専用のデータ処理装置に接続されるものでもよく、あるいは、測定データをプリント出力する出力装置に接続されるものでもよい。また、受信機４は、コンピュータ２および専用のデータ処理装置の両方に接続可能に構成されていてもよく、この場合には、接続する機器に応じた切換えスイッチや接続ポート等を有していればよい。
【００２４】
閃光装置５は、受信機４と接続ケーブル５１で接続されている。また、閃光装置５には、図２に示すように、閃光部５２が設けられ、接続ケーブル５１を介して受信機４の指令を受けると閃光部５２が閃光を生じるようになっている。ここで、閃光部５２にはフラッシュ‐バルブやストロボを利用することができる。
【００２５】
このような構成において、各測定器１の測定データが受信機４で無線受信されると、閃光装置５が瞬間的に強い光である閃光を発する。そして、作業場所の作業員は、この閃光を見て、測定データが受信機４で無線受信されたことを確認する。障害物等で作業者が直接、閃光装置５を見ることができない場合でも、従来のランプよりも閃光のほうが天井等の周囲の物体で反射する光が強いので、作業者は、その反射した閃光を見て、測定データが受信機４で無線受信されたことを確認する。
【００２６】
このような構成を備える第１実施形態によれば、次の効果を奏することができる。
（１）閃光装置５が瞬間的に強い光である閃光を発することにより、作業者は、従来よりも遠い位置からでも測定データが受信機４で無線受信されたことを確認することができる。よって、作業範囲を従来よりも広くすることができる。
【００２７】
（２）測定器１側に閃光装置５を設ける場合には、閃光装置５が作業者の作業の障害になる可能性があるが、本実施形態では、測定器１側ではなく、コンピュータ２側の受信機４に閃光装置５を設けたので、閃光装置５が作業者の作業の障害にならない。さらに、コンピュータ２の周辺は、作業者の作業場所から離れているので、閃光装置５の設置空間を容易に確保できる。
【００２８】
（第２実施形態）
次に、本発明の第２実施形態について図１および図３を参照して説明する。
第２実施形態の基本的構成は、図１に示す第１実施形態に同様であるが、第１実施形態は、測定データが受信機４で無線受信されたことを閃光表示する測定システムであるのに対して、第２実施形態は、受信機４で無線受信された測定データがどの測定器１のものであるかを閃光表示する測定システムである点に特徴を有する。
【００２９】
すなわち、図１において、各測定器１には、固有のＩＤ番号がそれぞれ付与されている。その各ＩＤ番号は、接続された各送信機３に記録されており、測定データとともに受信機４に無線送信される。具体的には、送信機３に内臓されたＲＡＭが各測定器１の固有のＩＤ番号を保持するＩＤ番号保持手段としても機能し、送信ボタンが押下げられると、制御部の制御によりＲＡＭに記録された測定データおよびＩＤ番号が送信アンテナから無線送信されるようになっている。
【００３０】
受信機４は、測定データとともにＩＤ番号を無線受信する。また、受信機４の内部に組み込まれた制御回路４２は、ＩＤ番号を識別して、そのＩＤ番号に割り当てられた閃光色を表示する指令を閃光装置５に出すように設けられている。また、受信機４は、接続ケーブル４１を介して測定データとＩＤ番号をコンピュータ２に送信する。
コンピュータ２は、測定データをＩＤ番号に基づき測定器１ごとに収集して記録等の処理を行う。
【００３１】
閃光装置５は、図３に示すように、複数の閃光色から指定された閃光色を選択する閃光色選択手段５３を備えている。図３では一例として、赤色閃光部５２Ｒ、青色閃光部５２Ｂ、黄色閃光部５２Ｙおよび緑色閃光部５２Ｇから構成された閃光色選択手段５３が示されている。そして、閃光装置５が受信機４の指令を受けると、閃光色選択手段５３は、指定された閃光色の閃光部５２Ｒ、５２Ｂ、５２Ｙ、５２Ｇに閃光を生じさせるようになっている。ここで、閃光色の種類の数、および閃光部５２Ｒ、５２Ｂ、５２Ｙ、５２Ｇの配置方法については、限定しない。
【００３２】
このような構成において、各送信機３は、測定データとともに各測定器１のＩＤ番号を受信機４に無線送信し、受信機４は、測定データとともにＩＤ番号を無線受信する。そして、受信機４に内臓された制御回路４２は、ＩＤ番号を識別して、そのＩＤ番号に割り当てられた閃光色を閃光表示するように閃光装置５に指令を出す。すると、閃光装置５の閃光色選択手段５３は、閃光部５２Ｒ、５２Ｂ、５２Ｙ、５２Ｇから指定された閃光色のものを選択し、閃光を生じさせる。
【００３３】
このような第２実施形態によれば、上記の効果（１）（２）に加えて、次の効果を奏することができる。
（３）作業者は、閃光装置５が表示する各測定器のＩＤ番号に対応した閃光の色によって、どの測定器１の測定データが受信機４に受信されたかを作業場所で識別することができる。
【００３４】
（第３実施形態）
次に、本発明の第３実施形態について図４を参照して説明する。
第３実施形態の基本的構成は、図３に示す第２実施形態に同様であるが、第２実施形態は、一定の方向にのみ閃光表示する閃光装置５を備えた測定システムであるのに対して、第３実施形態は、あらゆる方向に閃光表示する閃光装置５を備えた測定システムである点に特徴を有する。
【００３５】
すなわち、閃光色選択手段５３において、図４に示すように、各閃光部５２Ｒ、５２Ｂ、５２Ｙ、５２Ｇは、光を通す材質で略円筒状に形成され、表面がそれぞれ赤色、青色、黄色、緑色に着色されている。さらに、内部に閃光の光源５４をそれぞれ有しており、閃光色選択手段５３の天面に鉛直上向きに配置されている。
このような構成において、閃光部５２Ｒ、５２Ｂ、５２Ｙ、５２Ｇが閃光色選択手段５３の天面に鉛直上向きに配置されているので、閃光表示が閃光装置５の周囲のどの方向からも確認することができる。
【００３６】
このような第３実施形態によれば、上記の効果（１）〜（３）に加えて、次の効果を奏することができる。
（４）作業者は、閃光装置５が表示する閃光の色を、閃光装置５の周囲のどの方向の作業場所からでも識別することができる。
【００３７】
（第４実施形態）
次に、本発明の第４実施形態について図５および図６を参照して説明する。
第４実施形態の基本的構成は、図４に示す第３実施形態に同様であるが、第３実施形態は、各閃光部５２Ｒ、５２Ｂ、５２Ｙ、５２Ｇがそれぞれ光源５４を有する閃光装置５を備えた測定システムであるのに対して、第４実施形態は、各閃光部５２Ｒ、５２Ｂ、５２Ｙ、５２Ｇが共通の光源５４を有する閃光装置５を備えた測定システムである点に特徴を有する。
【００３８】
すなわち、閃光色選択手段５３は、図５に示すように、本体５５と、この本体５５に対して移動可能な可動部材５６と、この可動部材５６の天面に鉛直上向きに配置された各閃光部５２Ｒ、５２Ｂ、５２Ｙ、５２Ｇと、本体５５の内部に設けられた光源５４と、可動部材５６を駆動する駆動部６０とを備えている。
各閃光部５２Ｒ、５２Ｂ、５２Ｙ、５２Ｇは、可動部材５６の移動方向に平行に直列配置されている。光源５４は、可動部材５６の移動方向の中心線上に設けられている。駆動部６０は、可動部材５６を移動して各閃光部５２Ｒ、５２Ｂ、５２Ｙ、５２Ｇがそれぞれ光源５４の真上になるように位置決めする。
【００３９】
ここで、駆動部６０としては、図６に示すように、例えば、一対のプーリ６１Ａ，６１Ｂと、これらのプーリ６１Ａ、６１Ｂ間に掛け回されたベルト６２と、一方のプーリ６１Ａを回転させるモータ６３と、他方のプーリ６１Ｂによって回転されるピニオン部６４と、このピニオン部６４によって移動されるラック部６５を一側面に形成された前記可動部材５６とを含むベルト駆動機構とすることができる。
このような構成において、閃光装置５の閃光色選択手段５３は、駆動部６０によりの閃光部５２Ｒ、５２Ｂ、５２Ｙ、５２Ｇから指定された閃光色のものを選択して、閃光を生じさせる。
【００４０】
このような第４実施形態によれば、上記の効果（１）〜（４）に加えて、次の効果を奏することができる。
（５）閃光色選択手段５３の閃光部５２Ｒ、５２Ｂ、５２Ｙ、５２Ｇは、共通の光源５４を使用するので、それぞれに光源５４を設ける必要がなくなる。よって、閃光装置５の構成を簡略化することができる。
【００４１】
なお、本発明は前述の実施形態に限定されるものではなく、本発明の目的を達成できる範囲での変形、改良等は本発明に含まれるものである。
【００４２】
例えば、前記実施形態において、閃光装置５は、複数の閃光色から選択して閃光表示する構成としたが、複数の閃光パターンによって、閃光表示させてもよい。この時、制御回路４２は、ＩＤ番号を識別して、ＩＤ番号に割り当てられた閃光パターンを閃光表示させる指令を閃光装置５に出すようにすればよい。ここで、閃光パターンの一例として、連続閃光を複数回繰り返す閃光パターンが挙げられる。この場合、連続閃光の連続回数を変更する等の方法で複数の閃光パターンを得ることができる。例えば、ストロボを３回連続して発光させた後、一定時間を空けて、再び３回連続発光させ、これを複数回繰り返す閃光パターンを使用する場合、３回の連続発光を４回、５回と変化させることで、複数の閃光パターンを表示させることができる。
この構成によれば、前述と同様に、作業者は、各測定器１のＩＤ番号に対応した閃光パターンによって、どの測定器１の測定データが受信されたかを作業場所で識別することができる。
【００４３】
また、前記実施形態において、制御回路４２は、無線受信した測定データが適正であるか否かを判断して、例えば、適正であれば青色閃光を表示させ、不正であれば赤色閃光を表示させるように閃光装置５に指令を出してもよい。あるいは、それぞれに対応させた閃光パターンを表示させるように閃光装置５に指令を出してもよい。
また、測定データが不正であると判断した場合には、不正である理由に対応した閃光色で閃光表示するように閃光装置５に指令を出してもよい。例えば、測定データが許容範囲外である場合には黄色閃光を表示させ、または、ＩＤ番号の情報が登録されたものでない場合には緑色閃光を表示させるようにすることができる。あるいは、それぞれに対応させた閃光パターンを表示させるように閃光装置５に指令を出してもよい。
この構成によれば、作業者は、閃光装置の閃光の色あるいは閃光パターンによって、測定データが不正である場合のその理由を作業場所で識別することができる。
【００４４】
また、前記実施形態において、送信機３と受信機４との間の無線通信は単方向通信の構成としたが、双方向通信として構成してもよい。さらに、送信機３に作業者への告知手段を設けて、閃光装置５で閃光表示させる内容を受信機４から送信機３に無線送信して告知手段で告知するようにしてもよい。
また、前記実施形態における送信機３と受信機４との間の無線通信方式としては、一般的な各種無線通信方式が採用可能である。
【００４５】
また、前記実施形態において、閃光色選択手段５３は、図５に示すように各閃光部５２Ｒ、５２Ｂ、５２Ｙ、５２Ｇは一直線上に配列した構成としたが、これらを円周上に配列し可動部材５６を回転移動させる構成としてもよい。
また、前記実施形態において、送信機３は、測定器１と別体に構成され、測定器１に接続される構成としたが、これに限らず、測定器１と一体に送信アンテナや制御部、操作ボタン、ＲＡＭ等の少なくとも１つが設けられていてもよい。これと同様に、受信機４の各部の少なくとも１つがコンピュータ２に一体に設けられていてもよい。また、閃光装置５の各部の少なくとも１つがコンピュータ２もしくは受信機４に一体に設けられていてもよい。
また、前記実施形態において、閃光装置５は、受信機４に接続した構成としたが、コンピュータ２に接続した構成としてもよく、あるいは、受信機４またはコンピュータ２と無線通信する構成としてもよい。
【００４６】
また、前記実施形態において、閃光装置５を制御する制御回路４２は、コンピュータ２あるいは閃光装置５の内部に組み込まれてもよく、あるいは、単独の制御装置として構成されてもよい。ここで、コンピュータ２のＣＰＵに制御回路４２の機能を持たせることで、コンピュータ２の構成を簡略化してもよい。
また、前記実施形態において、コンピュータ２、受信機４および閃光装置５は、それぞれ単数の構成としたが、それぞれ複数で構成してもよい。
【００４７】
また、前記実施形態において、測定器１は、所定台数ごとにグループ化されたグループ番号が付与され、コンピュータ２は、複数の測定器１を各々のグループ番号に基づいて管理してもよい。さらに、制御回路４２は、測定データがどのグループに属する測定器１のものかを識別して、識別したグループに対応した閃光色または閃光パターンで閃光表示するように閃光装置５に指令を出してもよい。ここで、送信機３のＲＡＭは、各測定器１のグループ番号も保持するグループ番号保持手段としても機能する。
また、前記実施形態において、閃光装置５の閃光表示は複数の閃光色を組み合わせた表示としてもよく、または、閃光色と閃光パターンを組み合わせた表示としてもよい。
【００４８】
その他、本発明を実施するための最良の構成、方法等は、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質等を限定した記載は、本発明の理解を容易にするために例示的に記載したものであり、本発明を限定するものではないから、それらの形状、材質等の限定の一部もしくは全部の限定を外した部材の名称での記載は、本発明に含まれるものである。
【産業上の利用可能性】
【００４９】
本発明は、各種の測定器の測定データを無線通信を用いて収集する測定情報送受信装置および測定システムに利用することができる。
【図面の簡単な説明】
【００５０】
【図１】本発明の測定システムに係る第１実施形態の全体構成を示す図。
【図２】第１実施形態の閃光装置の斜視図。
【図３】本発明の測定システムに係る第２実施形態の閃光装置の斜視図。
【図４】本発明の測定システムに係る第３実施形態の閃光装置の斜視図。
【図５】本発明の測定システムに係る第４実施形態の閃光装置の斜視図。
【図６】第４実施形態の閃光装置の可動部分を説明する図。
【符号の説明】
【００５１】
１…測定器
２…コンピュータ（データ処理装置）
３…送信機
４…受信機
５…閃光装置
４２…制御回路（制御手段）
５３…閃光色選択手段
【図１】
2007048024.tif 000003
【図２】
2007048024.tif 000004
【図３】
2007048024.tif 000005
【図４】
2007048024.tif 000006
【図５】
2007048024.tif 000007
【図６】
2007048024.tif 000008